(57)【特許請求の範囲】
【請求項１】
生体情報測定装置において、
体幹の第１測定位置の皮下脂肪厚および前記体幹の第２測定位置の前記皮下脂肪厚を比較し、
前記体幹の基準位置に対する前記第１測定位置および前記第２測定位置の対称関係を判定する判定手段を有する
ことを特徴とする生体情報測定装置。
【請求項２】
前記体幹の基準位置は、前記体幹の正面の正中線上の所定の位置、または前記体幹の背面の前記正中線上の所定の位置である
請求項１に記載の生体情報測定装置。
【請求項３】
前記生体情報測定装置は、前記皮下脂肪厚を測定する皮下脂肪厚測定ユニットと、前記皮下脂肪厚とは異なる生体情報を測定する生体プローブとを有し、
前記皮下脂肪厚測定ユニットは、前記生体プローブに接続される
請求項１または２に記載の生体情報測定装置。
【請求項４】
前記生体情報測定装置は、前記生体プローブとして、第１生体プローブおよび第２生体プローブを有し、
前記皮下脂肪厚測定ユニットとして、第１皮下脂肪厚測定ユニットおよび第２皮下脂肪厚測定ユニットを有し、
前記第１皮下脂肪厚測定ユニットは、前記第１生体プローブに接続され、
前記第２皮下脂肪厚測定ユニットは、前記第２生体プローブに接続される
請求項３に記載の生体情報測定装置。
【請求項５】
前記第１測定位置の皮下脂肪厚および前記第２測定位置の皮下脂肪厚の比較により、前記体幹の基準位置に対する前記第１生体プローブおよび前記第２生体プローブの位置ずれを検出する
請求項４に記載の生体情報測定装置。
【請求項６】
前記第１生体プローブおよび前記第２生体プローブは、生体インピーダンスを測定する電極である
請求項４または５に記載の生体情報測定装置。
【請求項７】
前記生体プローブは、超音波プローブである
請求項３〜６のいずれか一項に記載の生体情報測定装置。
【請求項８】
前記生体情報測定装置は、前記生体プローブおよび前記皮下脂肪厚測定ユニットを保持する支持部を有する
請求項３〜７のいずれか一項に記載の生体情報測定装置。
【請求項９】
前記皮下脂肪厚測定ユニットおよび前記生体プローブは、互いに取り付けおよび互いに取り外すことができる構造を有する
請求項３〜８のいずれか一項に記載の生体情報測定装置。
【請求項１０】
前記生体情報測定装置は、生体組成情報、生体組織構造情報、筋電情報、血行動態、および皮膚温の少なくとも１つを測定する
請求項１〜９のいずれか一項に記載の生体情報測定装置。
【請求項１１】
前記生体情報測定装置は、前記体幹の基準位置に対する前記第１測定位置および前記第２測定位置の対称関係の判定の結果を報知する
請求項１〜１０のいずれか一項に記載の生体情報測定装置。
【発明の詳細な説明】
【技術分野】
【０００１】
本発明は、体幹の生体測定値を用いて、生体情報に関する演算を行う生体情報測定装置に関する。
【背景技術】
【０００２】
特許文献１の生体情報測定装置は、生体インピーダンスを用いて生体情報としての体脂肪率を測定する。この測定装置は、電流電極および電圧電極を有する２つの筐体部を、体幹において臍に対して互いに左右対称となる位置に接触させて、生体インピーダンスを測定する。
【先行技術文献】
【特許文献】
【０００３】
【特許文献１】特開２００１−１９０５１３号公報
【発明の概要】
【発明が解決しようとする課題】
【０００４】
上記の生体情報測定装置は、ユーザーが２つの筐体部を体幹に接触させる。しかし、目視により２つの筐体部を配置するため、２つの筐体部が正しい位置からずれるおそれがある。このため、体脂肪率が正しく演算されないおそれがある。
【０００５】
なお、この問題は、体幹の基準位置に対して左右対称の位置に配置される生体プローブの検出値を用いて生体情報を測定する生体情報測定装置であれば、上記の生体情報測定装置とは別の生体情報測定装置においても同様のことが言える。
【０００６】
本発明は、上記課題を解決するため、生体情報の測定精度の向上に貢献できる生体情報測定装置を提供することを目的とする。
【課題を解決するための手段】
【０００７】
・本発明の生体情報測定装置は、生体情報測定装置において、体幹の第１測定位置の皮下脂肪厚および前記体幹の第２測定位置の前記皮下脂肪厚を比較し、前記体幹の基準位置に対する前記第１測定位置および前記第２測定位置の対称関係を判定する判定手段を有することを特徴とする。
【０００８】
・上記の生体情報測定装置において、前記体幹の基準位置は、前記体幹の正面の正中線上の所定の位置、または前記体幹の背面の前記正中線上の所定の位置であることが好ましい。
【０００９】
・上記の生体情報測定装置において、前記生体情報測定装置は、前記皮下脂肪厚を測定する皮下脂肪厚測定ユニットと、前記皮下脂肪厚とは異なる生体情報を測定する生体プローブとを有し、前記皮下脂肪厚測定ユニットは、前記生体プローブに接続されることが好ましい。
【００１０】
・上記の生体情報測定装置において、前記生体情報測定装置は、前記生体プローブとして、第１生体プローブおよび第２生体プローブを有し、前記皮下脂肪厚測定ユニットとして、第１皮下脂肪厚測定ユニットおよび第２皮下脂肪厚測定ユニットを有し、前記第１皮下脂肪厚測定ユニットは、前記第１生体プローブに接続され、前記第２皮下脂肪厚測定ユニットは、前記第２生体プローブに接続されることが好ましい。
【００１１】
・上記の生体情報測定装置において、前記第１測定位置の皮下脂肪厚および前記第２測定位置の皮下脂肪厚の比較により、前記体幹の基準位置に対する前記第１生体プローブおよび前記第２生体プローブの位置ずれを検出することが好ましい。
【００１２】
・上記の生体情報測定装置において、前記第１生体プローブおよび前記第２生体プローブは、生体インピーダンスを測定する電極であることが好ましい。
・上記の生体情報測定装置において、前記生体プローブは、超音波プローブであることが好ましい。
【００１３】
・上記の生体情報測定装置において、前記生体情報測定装置は、前記生体プローブおよび前記皮下脂肪厚測定ユニットを保持する支持部を有することが好ましい。
・上記の生体情報測定装置において、前記皮下脂肪厚測定ユニットおよび前記生体プローブは、互いに取り付け、および互いに取り外すことができる構造を有することが好ましい。
【００１４】
・上記の生体情報測定装置において、前記生体情報測定装置は、生体組成情報、生体組織構造情報、筋電情報、血行動態、および皮膚温の少なくとも１つを測定することが好ましい。
【００１５】
・上記の生体情報測定装置において、前記生体情報測定装置は、前記体幹の基準位置に対する前記第１測定位置および前記第２測定位置の対称関係の判定の結果を報知することが好ましい。
【発明の効果】
【００１６】
本発明は、生体情報の測定精度の向上に貢献できる生体情報測定装置を提供する。
【図面の簡単な説明】
【００１７】
【図１】本発明の一実施形態の生体情報測定装置について、その電気的な構成を示すブロック図。
【図２】実施形態の生体情報測定装置について、その斜視構造を示す斜視図。
【図３】実施形態の測定部について、腹部に巻きつけたときの状態を示す平面図。
【図４】一般的な体型のユーザーの腹部について、臍断面の断面構造を示す断面図。
【図５】実施形態の測定部について、腹部に巻きつけたときの第１皮下脂肪厚測定ユニットおよび第２皮下脂肪厚測定ユニットと、体幹の位置関係を示す正面図。
【図６】実施形態の制御部により実行される「内臓脂肪測定制御」の手順を示すフローチャート。
【図７】変形例の生体情報測定装置について、その平面構造を示す平面図。
【図８】変形例の生体情報測定装置について、その平面構造を示す平面図。
【図９】変形例の生体情報測定装置について、その平面構造を示す平面図。
【図１０】変形例の生体情報測定装置について、その平面構造を示す平面図。
【図１１】変形例の生体情報測定装置について、その平面構造を示す平面図。
【図１２】変形例の生体情報測定装置について、その平面構造を示す平面図。
【発明を実施するための形態】
【００１８】
図１を参照して、生体情報測定装置１の構成について説明する。
生体情報測定装置１は、本体１０と、測定部２０とを有する。また、生体情報として、内臓脂肪を測定する。なお、内臓脂肪は「生体組成情報」および「生体情報」に相当する。また、内臓脂肪の測定においては、内臓脂肪量および内臓脂肪体積の少なくとも一方が算出される。
【００１９】
本体１０は、内臓脂肪の測定に必要な情報の入力に用いられる操作部１２と、各種情報をユーザーに提示する表示部１３と、各種演算を行う制御部１１とを備えている。また、このほかに、本体１０と測定部２０とを接続するケーブル１４を備えている。なお、操作部１２により入力される情報としては、ユーザーの身長、体重、腹囲、年齢、および性別等が挙げられる。
【００２０】
測定部２０は、インピーダンス測定部４０と、第１皮下脂肪厚測定ユニット５０と、第２皮下脂肪厚測定ユニット６０とを有する。また、この他にインピーダンス測定部４０、第１皮下脂肪厚測定ユニット５０、および第２皮下脂肪厚測定ユニット６０を保持するベルト３０を有する。なお、ベルト３０は「支持部」に相当する。また、第１皮下脂肪厚測定ユニット５０および第２皮下脂肪厚測定ユニット６０は「皮下脂肪厚測定ユニット」に相当する。
【００２１】
インピーダンス測定部４０は、第１電流電極４１と、第２電流電極４２と、第１電圧電極４３と、第２電圧電極４４とを有する。第１電流電極４１および第２電流電極４２は、電流電極対を構成する。第１電圧電極４３および第２電圧電極４４は、電圧電極対を構成する。第１電流電極４１および第２電流電極４２は、生体に電流を印加する。また、第１電圧電極４３および第２電圧電極４４は、第１電圧電極４３および第２電圧電極４４の間の電圧を検出する。なお、電極材としては、ＳＵＳおよび樹脂材表面を金属めっき処理したものが用いられている。また、第１電流電極４１および第１電圧電極４３は「第１生体プローブ」に相当する。第１電流電極４１が第１生体プローブに相当するとき、第２電流電極４２は「第２生体プローブ」に相当する。第１電圧電極４３が第１生体プローブに相当するとき、第２電圧電極４４は「第２生体プローブ」に相当する。
【００２２】
第１皮下脂肪厚測定ユニット５０の構成について説明する。
皮下脂肪厚測定ユニット５０は、近赤外光を照射する２つの発光部５１と、近赤外光を受光する１つの受光部５２とを有する。２つの発光部５１および受光部５２は、発光部５１、発光部５１、および受光部５２の順で高さ方向に並べられている。なお、発光部５１および受光部５２の距離は、ユーザーの腹部において第１皮下脂肪厚測定ユニット５０が配置される位置の一般的な皮下脂肪厚の約半分〜２倍の間にすることが好ましい。
【００２３】
第２皮下脂肪厚測定ユニット６０の構成について説明する。
皮下脂肪厚測定ユニット６０は、近赤外光を照射する２つの発光部６１と、近赤外光を受光する１つの受光部６２とを有する。２つの発光部６１および受光部６２は、発光部６１、発光部６１、および受光部６２の順で高さ方向に並べられている。なお、発光部６１および受光部６２の距離は、ユーザーの腹部において第２皮下脂肪厚測定ユニット６０が配置される位置の一般的な皮下脂肪厚の約半分〜２倍の間にすることが好ましい。
【００２４】
本体１０の制御部１１は、第１電流電極４１と、第２電流電極４２と、第１電圧電極４３と、第２電圧電極４４と、第１皮下脂肪厚測定ユニット５０と、第２皮下脂肪厚測定ユニット６０との間で信号を送信および受信する。
【００２５】
図２を参照して、生体情報測定装置１の構造について説明する。
ベルト３０は、ベルト３０の両端部を互いに接続する連結部３１と、ベルト３０の周方向において、連結部３１と対向する位置に固定される背骨目印部３３とを有する。連結部３１は、表面に印刷される臍目印部３２を有する。ベルト３０は、伸縮性を有する部材により形成される。なお、ベルト３０は、最も縮んだ状態でベルト３０の長さがユーザーの腹囲よりも小さいことが好ましい。このため、例えば、最も縮んだ状態でベルト３０の長さが５０ｃｍであり、かつベルト３０の長さが１５０ｃｍまで伸びることのできる素材を用いる。この素材としては、例えばゴム入りの布が挙げられる。
【００２６】
第１電圧電極４３および第２電圧電極４４は、ベルト３０上において連結部３１の臍目印部３２に対して左右対称に配置される。詳しくは、第１電圧電極４３から臍目印部３２までの距離は、第２電圧電極４４から臍目印部３２までの距離に等しい。
【００２７】
第１電流電極４１および第２電流電極４２は、ベルト３０上において連結部３１の臍目印部３２に対して左右対称に配置される。詳しくは、第１電流電極４１から臍目印部３２までの距離は、第２電流電極４２から臍目印部３２までの距離に等しい。
【００２８】
第１皮下脂肪厚測定ユニット５０および第２皮下脂肪厚測定ユニット６０は、ベルト３０上において連結部３１の臍目印部３２に対して左右対称に配置される。詳しくは、第１皮下脂肪厚測定ユニット５０から臍目印部３２までの距離は、第２皮下脂肪厚測定ユニット６０から臍目印部３２までの距離に等しい。
【００２９】
第１電圧電極４３から臍目印部３２までの距離は、第１電流電極４１から臍目印部３２までの距離よりも小さい。第２電圧電極４４から臍目印部３２までの距離は、第２電流電極４２から臍目印部３２までの距離よりも小さい。
【００３０】
第１電流電極４１、第２電流電極４２、第１皮下脂肪厚測定ユニット５０、第２皮下脂肪厚測定ユニット６０は、ベルト３０を介して互いに接続されている。また、ベルト３０が伸びるとき、第１電流電極４１、第２電流電極４２、第１皮下脂肪厚測定ユニット５０、第２皮下脂肪厚測定ユニット６０の相対位置は変化しない。
【００３１】
図３を参照して、ユーザーにベルト３０を巻きつけたときの測定部２０の位置関係について説明する。なお、図３（ｂ）は、図３（ａ）よりも大きい腹囲のユーザーに巻きつけられたときの測定部２０を示している。
【００３２】
測定部２０の連結部３１、背骨目印部３３、電極４１〜４４、第１皮下脂肪厚測定ユニット５０、および第２皮下脂肪厚測定ユニット６０は、ベルト３０に固定されている。このため、測定部２０は、背骨目印部３３が背骨１１２と対応する位置に配置され、臍目印部３２が臍１１１と対応する正しい位置（以下、「正規位置」）に配置されたとき、図３（ａ）のユーザーの腹部１１０および図３（ｂ）のユーザーの腹部１１０において、以下の位置に配置される。
・背骨目印部３３は、背骨１１２と対応する位置に位置する。
・連結部３１は、臍１１１と対応する位置に位置する。
・第１電流電極４１は、右脇腹１１３付近かつ右脇腹よりも前方に位置する。
・第２電流電極４２は、左脇腹１１４付近かつ左脇腹よりも前方に位置する。
・第１電圧電極４３は、臍１１１付近かつ臍１１１よりも右方に位置する。
・第２電圧電極４４は、臍１１１付近かつ臍１１１よりも左方に位置する。
・第１皮下脂肪厚測定ユニット５０は、臍１１１および右脇腹１１３の間に位置する。
・第２皮下脂肪厚測定ユニット６０は、臍１１１および左脇腹１１４の間に位置する。
【００３３】
なお、第１皮下脂肪厚測定ユニット５０が対応する体幹１００の位置は「第１測定位置」に相当する。第２皮下脂肪厚測定ユニット６０が対応する体幹１００の位置は「第２測定位置」に相当する。
【００３４】
ここで、ベルト３０はユーザーの目視により腹部１１０に巻き付けられる。このため、測定部２０の位置が正規位置からずれるおそれがある。また、ベルト３０が腹部１１０の表面に引っ掛かる等により、ベルト３０の一部の伸長量が、他の部分の伸長量と異なるとき、測定部２０の一部が、正規位置からずれるおそれがある。測定部２０が正規位置からずれた状態で生体インピーダンスを測定すると、算出精度が低下するおそれがある。そこで、生体情報測定装置１は、皮下脂肪厚を用いて測定部２０の位置が正規位置にあるか否かを判定する。
【００３５】
図４を参照して、体幹１００の体組成構造について説明する。なお、図４は、一般的な体型のユーザーにおいて、前額面と直交しかつ臍１１１を通過する臍断面を示す。なお、臍１１１の位置は「体幹の基準位置」に相当する。
【００３６】
体脂肪１２０は、皮下脂肪１２１および内臓脂肪１２２を有する。皮下脂肪厚は、背骨１１２の位置で最も薄い。また、正面においては、右脇腹１１３付近かつ右脇腹１１３よりも正面側の右側薄部１１５と、左脇腹１１４付近かつ左脇腹１１４よりも正面側の左側薄部１１６の位置で最も薄い。右脇腹１１３の位置および左脇腹１１４の位置は、臍１１１に対して左右対称の関係にある。また、右側薄部１１５の位置および左側薄部１１６の位置は、臍１１１に対して左右対称の関係にある。
【００３７】
皮下脂肪１２１は、臍１１１から右側薄部１１５に向かうにつれて薄くなる。また、右側薄部１１５から右脇腹１１３に向かうにつれて僅かに厚くなる。また、臍１１１から左側薄部１１６に向かうにつれて薄くなる。また、左側薄部１１６から左脇腹１１４に向かうにつれて僅かに厚くなる。また、背骨１１２および右脇腹１１３の間においては、背骨１１２および右脇腹１１３の中間部分が最も厚く、背骨１１２付近が最も薄い。また、背骨１１２および左脇腹１１４との間においては、背骨１１２および右脇腹１１３の中間部分が最も厚い。このように、皮下脂肪厚は、臍１１１および背骨１１２を基準として左右対称の形状を有する。なお、図示しないが、皮下脂肪１２１は、体幹１００の臍断面と平行な断面において、臍１１１または背骨１１２を通過する正中線Ｃ１上の点を対称に、左右対称の形状を有する。
【００３８】
図５を参照して、第１皮下脂肪厚測定ユニット５０および第２皮下脂肪厚測定ユニット６０の位置と、皮下脂肪厚との関係について説明する。
皮下脂肪厚は、臍１１１および背骨１１２を基準として左右対称の形状を有するため、第１皮下脂肪厚測定ユニット５０および第２皮下脂肪厚測定ユニット６０が、臍１１１に対して左右対称に配置されているとき、第１皮下脂肪厚測定ユニット５０により測定される第１皮下脂肪厚と、第２皮下脂肪厚測定ユニット６０により測定される第１皮下脂肪厚との差（以下、「皮下脂肪厚差ＴＸ」）は、比較的小さい。一方、第１皮下脂肪厚測定ユニット５０および第２皮下脂肪厚測定ユニット６０が臍１１１に対して左右対称に配置されていないとき、皮下脂肪厚差ＴＸは、比較的大きい。
【００３９】
図５（ａ）に示されるように、第１皮下脂肪厚測定ユニット５０および第２皮下脂肪厚測定ユニット６０が、臍断面上、かつ臍１１１から第１皮下脂肪厚測定ユニット５０の距離（以下、「第１距離Ｌ１」）と、臍１１１から第２皮下脂肪厚測定ユニット６０の距離（以下、「第２距離Ｌ２」）が一致するとき、すなわち臍１１１に対して左右対称の位置にあるとき、皮下脂肪厚差ＴＸは比較的小さい。
【００４０】
図５（ｂ）に示されるように、第１皮下脂肪厚測定ユニット５０および第２皮下脂肪厚測定ユニット６０が、臍断面上、かつ第１距離Ｌ１および第２距離Ｌ２が異なるとき、皮下脂肪厚差ＴＸは比較的大きい。
【００４１】
図５（ｃ）に示されるように、第１皮下脂肪厚測定ユニット５０および第２皮下脂肪厚測定ユニット６０が、第１皮下脂肪厚測定ユニット５０および第２皮下脂肪厚測定ユニット６０の高さが異なり、かつ第１距離Ｌ１および第２距離Ｌ２が一致するとき、皮下脂肪厚差ＴＸは比較的大きい。なお、一般的に、皮下脂肪厚の縦方向の変化は、周方向の変化よりも小さいため、図５（ｃ）の状態における皮下脂肪厚差ＴＸは、図５（ｂ）の状態における皮下脂肪厚差ＴＸよりも小さい。
【００４２】
図６を参照して、制御部１１により行われる内臓脂肪測定制御について説明する。
この制御は、制御部１１により所定周期毎に実行される、すなわち最後のステップの処理が終了した後、所定周期が経過するまでは同制御の実行が保留され、所定周期が経過した後、再び最初のステップから内臓脂肪測定制御が実行される。
【００４３】
ステップＳ１１では、操作部１２の測定ボタンが押された旨判定したとき、ステップＳ１２に移行し、第１皮下脂肪厚および第２皮下脂肪厚を測定する。具体的には、第１皮下脂肪厚測定ユニット５０の発光部５１から近赤外光を照射する。そして、受光部５２により生体を通過した近赤外光の光量を測定する。この光量に基づいて、第１皮下脂肪厚測定ユニット５０と対応する部分の第１皮下脂肪厚を算出する。また、第２皮下脂肪厚測定ユニット６０の発光部６１から近赤外光を照射する。そして、受光部６２により生体を通過した近赤外光の光量を測定する。この光量に基づいて、第２皮下脂肪厚測定ユニット６０と対応する部分の第２皮下脂肪厚を算出する。
【００４４】
ステップＳ１３では、皮下脂肪厚差ＴＸが所定範囲内か否かを判定する。ステップＳ１３において、皮下脂肪厚差ＴＸが所定範囲外の旨判定されたとき、ステップＳ１６に移行し、測定部２０の位置がずれている可能性がある旨を表示部１３に表示する。
【００４５】
一方、皮下脂肪厚差ＴＸが所定範囲内のとき、ステップＳ１４に移行し、生体インピーダンスを測定する。具体的には、第１電流電極４１および第２電流電極４２に電流の供給を開始する。そして第１電圧電極４３および第２電圧電極４４により電圧値を測定する。
【００４６】
ステップＳ１４では、ステップＳ１３で算出した電圧値、第１皮下脂肪厚、第２皮下脂肪厚、および操作部１２を介して入力された各種情報に基づいて内臓脂肪を算出する。そてして、内臓脂肪の算出結果を表示部１３に表示する。
【００４７】
本実施形態の生体情報測定装置１は以下の効果を奏する。
（１）生体情報測定装置１は、第１皮下脂肪厚および第２皮下脂肪厚を比較することにより、体幹１００の臍１１１位置に対する第１皮下脂肪厚測定ユニット５０の測定位置および第２皮下脂肪厚測定ユニット６０の測定位置の対称関係を判定する。
【００４８】
この構成によれば、生体情報測定装置１は、第１皮下脂肪厚測定ユニット５０の測定位置および第２皮下脂肪厚測定ユニット６０の測定位置が左右対称の位置にあるか、すなわち測定部２０が正規位置に配置されているか否かを判定することができる。このため、測定部２０が正規位置に配置されない頻度が低くなるため、内臓脂肪の測定精度の向上に貢献できる。
【００４９】
（２）第１電流電極４１、第２電流電極４２、第１電圧電極４３、第２電圧電極４４、第１皮下脂肪厚測定ユニット５０、および第２皮下脂肪厚測定ユニット６０は、ベルトを介して互いに接続される。第１皮下脂肪厚測定ユニット５０および第２皮下脂肪厚測定ユニット６０は、臍目印部３２に対して左右対称に配置される。
【００５０】
この構成によれば、インピーダンス測定部４０の全ての部材が第１皮下脂肪厚測定ユニット５０および第２皮下脂肪厚測定ユニット６０とベルト３０を介して接続されているため、第１電流電極４１および第２電流電極４２の左右対称関係と、第１電圧電極４３および第２電圧電極４４の左右対称の関係を、１つの皮下脂肪厚差ＴＸにより判定することができる。
【００５１】
（３）生体情報測定装置１は、インピーダンス測定部４０、第１皮下脂肪厚測定ユニット５０、および第２皮下脂肪厚測定ユニット６０を支持するベルト３０を有する。この構成によれば、ユーザーは、ベルト３０を腹部１１０に巻きつけることにより、インピーダンス測定部４０、第１皮下脂肪厚測定ユニット５０、および第２皮下脂肪厚測定ユニット６０を体幹１００に接触させることができる。このため、ベルト３０を有しない生体情報測定装置１と比較して、簡便に測定することができる。
【００５２】
（４）生体情報測定装置１は、皮下脂肪厚差ＴＸが所定範囲外のとき、測定部２０の位置が正規位置からずれている旨を表示部１３により報知する。この構成によれば、ユーザーに測定部２０の位置を正規位置にすることを促すことができる。このため、内臓脂肪の測定精度の向上に貢献できる。
【００５３】
（５）ベルト３０は、臍目印部３２および背骨目印部３３を有する。この構成によれば、ユーザーは、ベルト３０を腹部１１０に巻き付けるとき、臍目印部３２および背骨目印部３３を目印にすることができる。これにより、測定部２０の位置を正規位置に合わせやすい。
【００５４】
（６）生体情報測定装置１は、皮下脂肪厚測定ユニット５０，６０により測定された皮下脂肪厚を用いて内臓脂肪を算出する。この構成によれば、内臓脂肪の測定精度が向上する。
【００５５】
本発明は、上記実施形態以外の実施形態を含む。以下、本発明のその他の実施形態としての上記実施形態の変形例を示す。なお、以下の各変形例は、互いに組み合わせることもできる。
【００５６】
・実施形態の測定部２０は、ベルト３０に臍目印部３２および背骨目印部３３を有する。一方、変形例の測定部２０は、臍目印部３２および背骨目印部３３の少なくとも一方を省略している。
【００５７】
・実施形態の測定部２０は、ベルト３０上において、第１電流電極４１および第２電流電極４２を体幹１００の正面側に対応する位置に配置する。一方、変形例の測定部２０は、ベルト３０上において、第１電流電極４１および第２電流電極４２を体幹１００の背面側に対応する位置に配置する。
【００５８】
・実施形態の測定部２０は、ベルト３０上において、第１電圧電極４３および第２電圧電極４４を体幹１００の正面側に対応する位置に配置する。一方、変形例の測定部２０は、ベルト３０上において、第１電圧電極４３および第２電圧電極４４を体幹１００の背面側に対応する位置に配置する。
【００５９】
・実施形態の測定部２０は、ベルト３０上において、第１皮下脂肪厚測定ユニット５０および第２皮下脂肪厚測定ユニット６０を体幹１００の正面側に対応する位置に配置する。一方、変形例の測定部２０は、ベルト３０上において、第１皮下脂肪厚測定ユニット５０および第２皮下脂肪厚測定ユニット６０を体幹１００の背面側に対応する位置に配置する。
【００６０】
・実施形態のベルト３０は、臍断面に巻きつけられる。一方、変形例のベルト３０は、臍断面よりも上方の断面または臍断面よりも下方の断面に巻きつけられる。
・実施形態の生体情報測定装置１は、別体の本体１０とベルト３０とを有する。一方、図７に示されるように、変形例の生体情報測定装置１は、一体の本体１０と支持体８０とを有する。支持体８０は、臍１１１から右脇腹１１３までと対応する右側部分８１と、臍１１１から左脇腹１１４までと対応する左側部分８２とを有する。第１電流電極４１は、右側部分８１の右側の端部に接続される。第２電流電極４２は、左側部分８２の左側の端部に接続される。第１電圧電極４３は、本体７０の腹部１１０側の端面に固定される。第２電圧電極４４は、本体７０の腹部１１０側の端面かつ第１電圧電極４３よりも左側に固定される。第１皮下脂肪厚測定ユニット５０は、右側部分８１の左側の端部に接続される。第２皮下脂肪厚測定ユニット６０は、左側部分８２の右側の端部に接続される。
【００６１】
・上記実施形態の生体情報測定装置１は、ベルト３０を有する。一方、図８に示されるように、変形例の生体情報測定装置１は、ベルト３０を省略している。この変形例においては、各電極４１〜４４は、体幹１００に貼り付けられる。また、第１電圧電極４３に第１皮下脂肪厚測定ユニット５０が接続される。また、第２電圧電極４４に第２皮下脂肪厚測定ユニット６０が接続される。なお、この変形例では、第１電圧電極４３および第２電圧電極４４が、臍１１１に対して左右対称とならない配置になることが抑制できる。また、この変形例では、第１電圧電極４３は「第１生体プローブ」に相当し、第２電圧電極４４は「第２生体プローブ」に相当する。この変形例を、変形例Ｘとする。
【００６２】
・上記変形例Ｘにおいて、図９に示されるように、第１電圧電極４３および第１皮下脂肪厚測定ユニット５０を、接続棒９１を介して接続し、第２電圧電極４４および第２皮下脂肪厚測定ユニット６０を、接続棒９１を介して接続することもできる。
【００６３】
・上記実施形態の生体情報測定装置１は、ベルト３０を有する。一方、図１０に示されるように、変形例の生体情報測定装置１は、ベルト３０を省略している。この変形例においては、この変形例においては、各電極４１〜４４は、体幹１００に貼り付けられる。また、第１電流電極４１に第１皮下脂肪厚測定ユニット５０が接続される。また、第２電流電極４２に第２皮下脂肪厚測定ユニット６０が接続される。なお、この変形例では、第１電流電極４１および第２電流電極４２が、臍１１１に対して左右対称とならない配置になることが抑制できる。また、この変形例では、第１電流電極４１は「第１生体プローブ」に相当し、第２電流電極４２は「第２生体プローブ」に相当する。この変形例を、変形例Ｙとする。
【００６４】
・上記変形例Ｙにおいて、図１１に示されるように、第１電流電極４１および第１皮下脂肪厚測定ユニット５０を、接続棒９１を介して接続し、第２電流電極４２および第２皮下脂肪厚測定ユニット６０を、接続棒９１を介して接続することもできる。
【００６５】
・上記変形例Ｘおよび上記変形例Ｙにおいて、電極４１〜４４および皮下脂肪厚測定ユニット５０，６０に、電極４１〜４４および皮下脂肪厚測定ユニット５０，６０を互いに取り付けおよび互いに取り外しできる構造を有することもできる。この場合、図８の状態において第１皮下脂肪厚および第２皮下脂肪厚を測定し、皮下脂肪厚差ＴＸを算出した後に、図１０の状態において第１皮下脂肪厚および第２皮下脂肪厚を測定し、皮下脂肪厚差ＴＸを算出することができる。
【００６６】
・実施形態の第１皮下脂肪厚測定ユニット５０は、測定部２０が正規位置にあるとき臍１１１および右側薄部１１５の間に配置され、第２皮下脂肪厚測定ユニット６０は、測定部２０が正規位置にあるとき臍１１１および左側薄部１１６の間に配置される。一方、変形例の第１皮下脂肪厚測定ユニット５０は、測定部２０が正規位置にあるとき右側薄部１１５と対応する位置に配置され、第２皮下脂肪厚測定ユニット６０は、測定部２０が正規位置にあるとき左側薄部１１６の間と対応する位置に配置される。すなわち、第１皮下脂肪厚測定ユニット５０および第２皮下脂肪厚測定ユニット６０は、一般的な体型のユーザーの正面側において、最も皮下脂肪厚が薄いところに配置される。このため、測定部２０の位置が正規位置からずれたとき、皮下脂肪厚差ＴＸの変化が大きくなる可能性が高い。これにより、測定部２０の位置が正規位置からずれているか否かの判定精度が高まる。
【００６７】
・実施形態の生体情報測定装置１は、第１皮下脂肪厚測定ユニット５０および第２皮下脂肪厚測定ユニット６０をベルト３０に接続する。一方、変形例の生体情報測定装置１は、第１皮下脂肪厚測定ユニット５０および第２皮下脂肪厚測定ユニット６０をベルト３０に取り付け、および取り外しできる構造を有する。この変形例を、変形例Ｚとする。
【００６８】
・上記変形例Ｚにおいて、第１皮下脂肪厚測定ユニット５０および第２皮下脂肪厚測定ユニット６０の一方を省略することもできる。この場合、第１皮下脂肪厚測定ユニット５０をベルト３０の第１皮下脂肪厚測定ユニット５０の取り付け位置に取り付けて第１皮下脂肪厚を測定し、第１皮下脂肪厚測定ユニット５０をベルト３０の第２皮下脂肪厚測定ユニット６０の取り付け位置に取り付けて第２皮下脂肪厚を測定する。
【００６９】
・実施形態の測定部２０は、第１皮下脂肪厚測定ユニット５０および第２皮下脂肪厚測定ユニット６０を有する。一方、変形例の測定部２０は、生体インピーダンスによる皮下脂肪厚を測定する第１皮下脂肪厚測定ユニット５０および第２皮下脂肪厚測定ユニット６０を有する。この場合、電圧電極対を構成する電極間の距離は、第１皮下脂肪厚測定ユニット５０および第２皮下脂肪厚測定ユニット６０が配置される位置の一般的な皮下脂肪厚の約半分〜２倍の間にする。
【００７０】
・実施形態の生体情報測定装置１は、インピーダンス測定部４０を有する。一方、変形例の生体情報測定装置１は、超音波測定部を有する。超音波測定部は、超音波発信機および超音波受信機を有する。なお、この変形例においては、超音波発信機および超音波受信機の一方は「第１生体プローブ」および「超音波プローブ」に相当し、超音波発信機および超音波受信機の他方は「第２生体プローブ」および「超音波プローブ」に相当する。この変形例を「変形例Ｗ」とする。
【００７１】
・上記変形例Ｗにおいて、超音波発信機および超音波受信機に代えて、超音波発信機および超音波受信機を兼ねる超音波プローブを採用することもできる。この場合、生体情報測定装置１は、超音波プローブおよび皮下脂肪測定ユニットを１つのみ有することもできる。超音波プローブおよび皮下脂肪測定ユニットをそれぞれ１つのみ有する構成においては、超音波プローブと皮下脂肪測定ユニットが互いに固定される測定ブロックを有する。そして、生体情報測定装置１は、臍１１１よりも右方の第１測定位置に測定ブロックを配置した状態で生体情報を測定した後に、臍１１１よりも左方の第２測定位置に測定ブロックを配置した状態で生体情報を測定する。そして、第１測定位置の皮下脂肪厚および第２測定位置の皮下脂肪厚を比較することにより、第１測定位置の超音波測定結果および第２測定位置の超音波測定結果が臍１１１に対して左右対称の結果であるか否かを判定することができる。
【００７２】
・実施形態の測定部２０は、インピーダンス測定部４０、第１皮下脂肪厚測定ユニット５０、および第２皮下脂肪厚測定ユニット６０を有する。一方、図１２に示されるように、変形例の測定部２０は、第１皮下脂肪厚測定ユニット５０、および第２皮下脂肪厚測定ユニット６０を省略している。
【００７３】
この変形例の測定部２０のインピーダンス測定部４０は、電極４１〜４４に加えて、第３電圧電極４５、第４電圧電極４６、第５電圧電極４７、および第６電圧電極４８を有する。第３電圧電極４５および第４電圧電極４６は、ベルト３０上において、第１電流電極４１および第１電圧電極４３の間に配置される。第５電圧電極４７、および第６電圧電極４８は、ベルト３０上において、第２電流電極４２および第２電圧電極４４の間に配置される。そして、第１電圧電極４３および第２電圧電極４４は、電流電極の機能を有する。
【００７４】
第１皮下脂肪厚を測定するとき、第１電流電極４１および第１電圧電極４３は、電流電極対を構成する。このとき、第３電圧電極４５および第４電圧電極４６は、電圧電極対を構成する。第３電圧電極４５および第４電圧電極４６により測定された生体インピーダンスにより、第１皮下脂肪厚が算出される。すなわち、第１電流電極４１、第１電圧電極４３、第３電圧電極４５、および第４電圧電極４６は「第１皮下脂肪厚測定ユニット」として機能する。
【００７５】
第２皮下脂肪厚を測定するとき、第２電流電極４２および第２電圧電極４４は、電流電極対を構成する。このとき、第５電圧電極４７および第６電圧電極４８は、電圧電極対を構成する。第５電圧電極４７および第６電圧電極４８により測定された生体インピーダンスにより、第２皮下脂肪厚が算出される。すなわち、第２電流電極４２、第２電圧電極４４、第５電圧電極４７、および第６電圧電極４８は「第２皮下脂肪厚測定ユニット」として機能する。
【００７６】
・実施形態の生体情報測定装置１は、内臓脂肪測定制御のステップＳ１３において皮下脂肪厚差ＴＸが所定範囲内のとき、ステップＳ１４に移行する。一方、変形例の生体情報測定装置１は、内臓脂肪測定制御において、皮下脂肪厚差ＴＸが所定範囲内かつ、今回測定された第１皮下脂肪厚および第２皮下脂肪厚と、前回測定された第１皮下脂肪厚および第２皮下脂肪厚との差が小さいとき、ステップＳ１４に移行する。一般に、皮下脂肪は内臓脂肪よりも変化しにくい。このため、今回測定された皮下脂肪と前回測定された皮下脂肪とを比較することにより、体幹１００に対する測定部２０の位置ずれを検出することができる。
【００７７】
・実施形態の生体情報測定装置１は、ベルト３０を腹部１１０に巻きつけて固定した状態で内臓脂肪を測定する。一方、変形例の生体情報測定装置１は、ベルト３０を腹部１１０に巻きつけて、ベルト３０を周方向に移動させながら内臓脂肪を測定する。
【００７８】
具体的には、所定時間毎に第１皮下脂肪厚、第２皮下脂肪厚、および生体インピーダンスを測定し、測定時間が近いものを１つの組として第１皮下脂肪厚、第２皮下脂肪厚、および生体インピーダンスを制御部１１に記憶する。制御部１１は、制御部１１に記憶された第１皮下脂肪厚、第２皮下脂肪厚、および生体インピーダンスの組のうち、皮下脂肪厚差ＴＸが最も小さい組の検出値を用いて内臓脂肪を算出する。この変形例を、変形例Ｖとする。
【００７９】
・上記変形例Ｖにおいて、ベルト３０を腹部１１０に巻きつけて、ベルト３０を周方向に移動させながら皮下脂肪厚差ＴＸを所定時間毎に算出することもできる。この場合、皮下脂肪厚差ＴＸが所定範囲外および所定範囲内のどちらであるか、すなわちベルト３０の位置が正規位置からずれているか否かを表示部１３に表示することもできる。
【００８０】
・実施形態の生体情報測定装置１は、測定部２０を有する。一方、変形例の生体情報測定装置は測定部２０を省略している。この変形例の生体情報測定装置は、他の測定装置により測定された第１皮下脂肪厚、第２皮下脂肪厚を入力することにより、測定時の第１皮下脂肪厚測定ユニット、第２皮下脂肪厚測定ユニットの位置が臍１１１に対して左右対称の位置にあったか否かを判定する。
【００８１】
・実施形態の生体情報測定装置１は、生体組成情報として内臓脂肪を測定する。一方、変形例の生体情報測定装置は、生体組成情報として、皮下脂肪量、筋肉量、骨密度の少なくとも１つを測定する。また、この場合、測定部２０は、測定対象とする生体情報に対応する生体プローブを有する。
【００８２】
・実施形態の生体情報測定装置１は、生体情報として内臓脂肪を測定する。一方、変形例の生体情報測定装置は、生体情報として、生体組成情報、生体組織構造情報、筋電情報、血行動態、および皮膚温の少なくとも１つを測定する。いずれの生体情報においても、第１生体プローブおよび第２生体プローブを正中線Ｃ１上の基準位置に対して左右対称に配置することにより、測定精度を向上できる。また、左右対称の位置における生体情報を比較するとき、比較精度を向上できる。なお、生体組織構造情報は、生体の断面画像情報を含む。
【００８３】
なお、この変形例においては、測定部２０は、測定対象とする生体情報に対応する生体プローブを有する。なお、生体プローブの一例としては、生体インピーダンスを測定する電極、近赤外光の透過量を測定する発光部および受光部のほか、超音波の発信機および受信機、レーザー発信機および受信機、皮膚表面電極、針電極、およびサーミスタ等が挙げられる。
【符号の説明】
【００８４】
１…生体情報測定装置、３０…ベルト（支持体）、４１…第１電流電極（生体プローブ、第１生体プローブ）、４２…第２電流電極（生体プローブ、第２生体プローブ）、４３…第１電圧電極（生体プローブ、第１生体プローブ）、４４…第２電圧電極（生体プローブ、第２生体プローブ）、５０…第１皮下脂肪厚測定ユニット、６０…第２皮下脂肪厚測定ユニット。
【図１】
0005853132.tif 000002
【図２】
0005853132.tif 000003
【図３】
0005853132.tif 000004
【図４】
0005853132.tif 000005
【図５】
0005853132.tif 000006
【図６】
0005853132.tif 000007
【図７】
0005853132.tif 000008
【図８】
0005853132.tif 000009
【図９】
0005853132.tif 000010
【図１０】
0005853132.tif 000011
【図１１】
0005853132.tif 000012
【図１２】
0005853132.tif 000013